(57)【要約】【課題】多様な用途に対応できる機能と補助教材機能を持つ動物形状多機能容器の開発を技術課題とした。【解決手段】本考案の動物形状多機能容器１は、パルプを原料としたパルプモールドによる一体中空状に形成されて成り、容器の外面が密で円滑な面とされ、目、鼻、口、その他身体各部の紋様を彩色具もしくはシールなどで自由且つ任意に装飾することを可能とした補助教材機能を付与したものであって、成型品の上部もしくは背部に唯一孔の開口部を有し、開口部には、着脱可能な丸または三角または四角もしくは多角形などの形状から成る、コイン投入孔を有するキャップ状の蓋が嵌合される構造を成し多様な用途に対応できる動物形状多機能容器とした。【選択図】図５
0003125243.tif 000002
【実用新案登録請求の範囲】
【請求項１】
物品を収納する収納部を有して動物形状の外観をなす動物形状多機能容器であって、容器全体がパルプモールドにより一体中空状に形成された動物形状多機能容器。
【請求項２】
動物形状多機能容器の外面が密で円滑な面とされ、目、鼻、口、その他身体各部の紋様を彩色具もしくはシールなどで自由且つ任意に装飾可能とする補助教材機能を付与した請求項１に記載の動物形状多機能容器。
【請求項３】
パルプモールド成形物が、古紙または再生紙からなる請求項１に記載の動物形状多機能容器。
【請求項４】
成形物の上部もしくは背部に唯一孔の開口部を有する請求項１に記載の動物形状容器。
【請求項５】
唯一孔の開口部には、着脱可能な丸または三角または四角もしくは多角形などの形状をなし、コイン投入孔を有するキャップ状の蓋が嵌合される構造を有する請求項１に記載の動物形状多機能容器。
【考案の詳細な説明】
【技術分野】
【０００１】
本考案は、古紙または再生紙からなるパルプモールドにより一体中空状に形成された動物形状の外観をなす動物形状多機能容器であって、多目的に利用できかつ外表面に自由且つ任意に装飾可能とする補助教材機能を付与した動物形状多機能容器に関するものである。
【背景技術】
【０００２】
古紙または再生紙等のパルプを原料として成形される包装容器であって、靴形形状に形成された包装容器がある。（例えば、特許文献１）
【０００３】
前記記載の靴型包装容器にあっては、菓子や玩具など子供へのプレゼントを包装するための容器であって、使用後の廃棄処分に困らないことを課題として考案された事例であり、包装内容物が消費された後は包装容器としての役割を終え廃棄されることが明白である。
【０００４】
また、前記記載の靴型包装容器にあっては、包装内容物が消費された後に例えば小物入れ、花器、貯金箱、立体塗り絵など、他の用途の容器として転用できることを前提とした目的と機能を有していない。
【特許文献１】実用新案登録第３０７９７３９号
【考案の開示】
【考案が解決しようとする課題】
【０００５】
本考案は、軽量且つ落下等に伴う破損の心配のない安全な包装容器としての機能の他、花器、貯金箱、小物入れなど多様な用途に対応できる機能を持つとともに、包装容器自体の表面に自由且つ任意に装飾可能な補助教材機能を付与することにより、包装内容物が消費された後でも包装容器がみだりに廃棄されることを防止し、廃棄された場合であってもパルプとして再資源化が可能であり、焼却しても有害物質の発生する恐れがなく、地中に埋設処理した場合であっても生分解され環境負荷を与えない目的を課題とした。
【課題を解決するための手段】
【０００６】
本考案は、上記目的を達成するためになされてものであり、物品を収納する収納部を有して動物形状の外観をなす動物形状多機能容器であって、容器全体がパルプモールドにより一体中空状に形成された動物形状多機能容器であることを特徴とする。
【０００７】
また、本考案は、前記動物形状多機能容器の外面が密で円滑な面とされ、目、鼻、口、その他身体各部の紋様を彩色具もしくはシールなどで自由且つ任意に装飾することを可能とする補助教材機能を付与した前記動物形状多機能容器であることを特徴とする。
【０００８】
また、前記パルプモールド成形品が、古紙または再生紙からなる動物形状多機能容器であることを特徴とする。
【０００９】
また、前記成型品の上部もしくは背部に唯一孔の開口部を有する前記記載の動物形状容器であることを特徴とする。
【００１０】
さらに、前記唯一孔の開口部には、着脱可能な丸または三角または四角もしくは多角形などの形状をなし、コイン投入孔を有するキャップ状の蓋が嵌合される構造を有する前記記載の動物形状多機能容器であることを特徴とする。
【考案の効果】
【００１１】
本考案は、物品を収納する収納部を有し、犬、猫、豚、象、パンダ等の動物形状に模し、その形を誇張、変形して表現された動物形状の外観をなす動物形状多機能容器であって、容器全体がパルプモールドにより一体中空状に形成された動物形状多機能容器であることから、包装容器、包装材としての機能以外に花器、貯金箱、小物入れなど多様な用途に用いることのできる機能を持つとともに、幼児・児童等の玩具、置物、贈答用広告物等のキャラクター商品としての商品性をも具備することができる。
【００１２】
本考案の、動物形状多機能容器は、パルプモールド成型法で成形されて成る容器であって、容器の外面が比較的密で円滑な面の白色または柔白色もしくは淡彩色とされ、通常の画紙や筆記紙等と同等の描画、塗色性を持つことから、一般的な彩色具もしくはシールなどで自由且つ任意に装飾することを可能とし、幼児、児童の塗り絵、工作の教材として、また介護老人のリハビリ補助教材として用いることができる。
【００１３】
本考案の、動物形状多機能容器はパルプ繊維を主原料とし、このパルプ繊維がモールド成型されて成る容器であって、キャップ状の蓋をはずし内部に水を満たした状態で花器として用いた場合に形成物のパルプ繊維間に少なからず水分が含浸するが、容器の外側で空域に接している部分では順次空気中に気化、発散してゆくため、容器としての能力を著しく低下させることはない。また、パルプモールド成型時もしくは成形物の形成後に紙力増強剤ないしは撥水剤等を添加することで花器としての能力低下を完全に防止できる。
【００１４】
本考案の、動物形状多機能容器は、パルプ繊維を主原料としていることから軽量で、不用意に落下させても破損しないため利用者に危害を与えることはない。
【００１５】
本考案の、動物形状多機能容器は、任意に装飾可能な補助教材機能を付与することにより、包装内容物が消費された後でも包装容器がみだりに廃棄されることを防止し、廃棄された場合であってもパルプとして再資源化が可能であり、焼却しても有害物質の発生する恐れがなく、地中に埋設処理した場合であっても生分解され環境負荷を与えない。
【００１６】
本考案の、動物形状多機能容器は、前記成型品の上部もしくは背部に設けられた唯一孔の開口部にキャップ状の蓋を嵌合した状態で小物入れとしての用途の他、コイン投入孔を有するキャップ状の蓋を嵌合した状態で貯金箱として使用することができる。
【００１７】
また、前記着脱可能なキャップ状の蓋は、容器の動物形状にあった形状を任意に選択できるよう丸、三角、四角、楕円、半球状もしくはサッカーボール様の球状など多様な形状を可能としている。
【００１８】
また、前記成型品の上部もしくは背部に設けられた唯一孔の開口部および開口部に嵌合するキャップ状の蓋の径については、包装される内容物の形状に考慮した最適の大きさとすることが可能である。
【考案を実施するための最良の形態】
【００１９】
以下、この考案の一実施形態について図を参照して説明する。
図１は、動物形状多機能容器の正面図、図２は動物形状多機能容器の側面図、図３は動物形状多機能容器の斜視図、図４はキャップ状の蓋をはずした動物形状多機能容器の斜視図、図５は彩色具もしくはシールなどで任意に装飾された動物形状多機能容器の斜視図、図６はキャップ状の蓋が嵌合された状態の動物形状多機能容器の断面図、図７は各種形状のキャップ状蓋の斜視図、図８は成形型の概略図、図９は容器部を成形型から脱型する概略図である。
【００２０】
この考案に係る補助教材機能を付与した紙製の動物形状多機能容器１は、犬、猫、豚、象、パンダ等の動物形状に模し、モールド成型上の抜き勾配および型割りの技術上の制約を回避できる程度にその形を誇張、変形して表現された形状で、パルプを原料とするパルプモールド成型によって、中空一体形状に形成されるものであり、形成物の中空部を包装物の収納部５とし形成物の上部もしくは背部に有する唯一孔の開口部６にキャップ状の蓋３を嵌合し、動物形状容器の底部にクッション材４を貼り付けた構造を有する形状をなしている。
【実施例１】
【００２１】
図４は、キャップ状の蓋３をはずした動物形状多機能容器の斜視図である。本考案の容器は、動物形状多機能容器１の本体上部もしくは背部に設けられた唯一孔の開口部６を有し、開口部６を経て包装物の収納、取り出しが行われる。
【００２２】
図６は、動物形状多機能容器の断面図である。動物形状多機能容器１の本体は一定の厚みで中空状に形成されたパルプの中空成形体２と、同じ構造で形成されるキャップ状の蓋３が嵌合され、底部にクッション材４が貼り付けられた構造となっており、形成されたパルプの中空成形体２の中空部が包装物の収納部５になっている。
【００２３】
図５は、彩色具もしくはシールなどで任意に装飾７された動物形状多機能容器の斜視図である。動物形状多機能容器１の本体であるパルプの中空成形体２およびキャップ状の蓋３は容器の外面が比較的密で円滑な面の白色または柔白色もしくは淡彩色の状態に形成され、通常の画紙や筆記紙等と同等の描画、塗色性を持つことから、幼児、児童の塗り絵、工作の教材として、また介護老人のリハビリ補助教材として、一般的な彩色具もしくはシールなどで自由且つ任意に装飾７した事例である。
【００２４】
図７に示すように、尚、キャップ状の蓋３は、略円柱状、略四角柱状、略三角柱状、略半球状など、様々な形状のものとすることができる。また、キャップ状の蓋３にコイン３ｂが貫通するサイズのコイン投入孔３ａを空ければ、貯金箱として利用することも可能である。
【００２５】
次にパルプを原料としたパルプモールド成形による本考案の成形時の成形型１０の一例を説明する。成型法については、一般的な公知のパルプモールド成型法で可能なことから、成型法についての説明は記述しない。図８は、本考案の動物形状多機能容器をパルプモールド成形法で製造する一例を示す成形型の概略図である。
【００２６】
図８に示すように、成形型１０は原料であるパルプ溶解液Ａから液体成分を吸引水Ｂとして吸引除去し、パルプ繊維を主成分とする成形物１７を抄き出す作用を行う型である。この成形型１０は抄造する製品スペックに応じた形状と容積の内型であり、この成形型１０には下端にパルプ溶解液Ａを型内に導入するためのパルプ溶液吸込口１４が空けられ、上端には液体成分である吸引水Ｂを吸引除去するための吸引孔１３が取り付けられている。
また、成形型１０の内部には、多数の脱水孔１５を具え、脱水孔１５の内側に沙金網１６が保持される。
【００２７】
この成形型１０を用いて成形物１７を得るには、一定量のパルプを水で溶解したパルプ溶解液Ａ中に成形型１０を浸漬し型内にパルプ溶液を充満させる。そして吸引孔１３に接続された真空ポンプにより吸引するとパルプ溶解液Ａ中の繊維は抄金網１６に抄出されて一定の厚みの繊維層を形成するとともに、液体成分は抄金網１６および脱水孔１５を抜けて吸引口１３から型外に排出される。
【００２８】
型内に繊維層状の成形物１７が形成された後、成形型１０をパルプ溶解液Ａ中から引き上げ、成形型１０を割型１１と割型１２に分割し型内から成形物１７を取り出す。取り出された成形物１７は、図示しないが移送装置により乾燥工程に移送し、適宜の手段で乾燥処理を施して動物形状多機能容器を得る。
【実施例２】
【００２９】
本考案の事例として犬を模した動物形状を図示したが、本考案の技術的範疇において猫、豚、象、パンダ、その他嗜好性の高い動物形状とすることは可能であり、何ら犬の形状に限定するものではないことは論をまたない。
【００３０】
図１０は、動物形状多機能容器を装飾するシールを示す図であり、図１１は、動物形状多機能容器をシールにより装飾した正面図であり、図１２は、動物形状多機能容器をシールにより装飾した背面図である。
【００３１】
動物形状多機能容器１は、目、鼻、口、その他身体各部の紋様をシール８により自由かつ任意に装飾７することができる。シール８には、犬用、猫用、牛用、豚用、象用、パンダ用、その他嗜好性の高い動物用のものを予め用意しておき、利用者が選択できるようにすることが好ましい。
【００３２】
図１３は、動物形状多機能容器を装飾する彩色具を示す図であり、図１４は、動物形状多機能容器を彩色具により装飾した正面図である。
【００３３】
動物形状多機能容器１は、外面が密で円滑な面であるため、目、鼻、口、その他身体各部の紋様を彩色具９を使用して自由かつ任意に塗装することもできる。シール８で用意されていない動物や色であっても、利用者が好きなように装飾７することが可能となる。尚、彩色具９としては、色鉛筆、ペン、絵の具、クレヨン等が利用できる。
【００３４】
図１５は、動物形状多機能容器を小物入れとして使用した図であり、図１６は、動物形状多機能容器を花器として使用した図である。
【００３５】
動物形状多機能容器１は、単に動物型の置物として利用したり、キャップ状の蓋３を嵌合させて貯金箱として利用する以外に、キャップ状の蓋３が取外し可能であることことから、様々な用途に応用できる。
【００３６】
例えば、ペンや小物を入れれば小物入れとなる。また、水を入れて花瓶にしたり、土を入れて植木鉢にすることで、花９ａを飾る花器となる。さらに、金平糖や飴を入れる菓子入れとすることもできる。
【図面の簡単な説明】
【００３７】
【図１】動物形状多機能容器の正面図である。
【図２】動物形状多機能容器の側面図である。
【図３】動物形状多機能容器の斜視図である。
【図４】キャップ状の蓋をはずした動物形状多機能容器の斜視図である。
【図５】彩色具もしくはシールなどで任意に装飾された動物形状多機能容器の斜視図である。
【図６】キャップ状の蓋が嵌合された状態の動物形状多機能容器の断面図である。
【図７】着脱可能でコイン投入孔を有する各種形状のキャップ状蓋の斜視図である。
【図８】本考案の動物形状多機能容器をパルプモールド成形法で製造する一例を示す成形型の概略図である。
【図９】図８で成形された容器部を成形型から脱型する概略図である。
【図１０】動物形状多機能容器を装飾するシールを示す図である。
【図１１】動物形状多機能容器をシールにより装飾した正面図である。
【図１２】動物形状多機能容器をシールにより装飾した背面図である。
【図１３】動物形状多機能容器を装飾する彩色具を示す図である。
【図１４】動物形状多機能容器を彩色具により装飾した正面図である。
【図１５】動物形状多機能容器を小物入れとして使用した図である。
【図１６】動物形状多機能容器を花器として使用した図である。
【符号の説明】
【００３８】
１        動物形状多機能容器
２        パルプの中空成形体
３        キャップ状の蓋
３ａ      コイン投入孔
３ｂ      コイン
４        クッション材
５        収納部
６        開口部
７        装飾
８        シール
９        彩色具
９ａ      花
１０        成形型
１１        割型
１２        割型
１３        吸引孔
１４        パルプ溶液吸込口
１５        脱水孔
１６        沙金網
１７        成形物
Ａ          パルプ溶解液
Ｂ          吸引水
【図１】
0003125243.tif 000003
【図２】
0003125243.tif 000004
【図３】
0003125243.tif 000005
【図４】
0003125243.tif 000006
【図５】
0003125243.tif 000007
【図６】
0003125243.tif 000008
【図７】
0003125243.tif 000009
【図８】
0003125243.tif 000010
【図９】
0003125243.tif 000011
【図１０】
0003125243.tif 000012
【図１１】
0003125243.tif 000013
【図１２】
0003125243.tif 000014
【図１３】
0003125243.tif 000015
【図１４】
0003125243.tif 000016
【図１５】
0003125243.tif 000017
【図１６】
0003125243.tif 000018